(57)【要約】【課題】トリミング作業を容易且つ確実に実施でき且つ材料費や製造工数を低く抑えることができるトリミング回路を備えたディスプレイモジュールを提供する【解決手段】液晶表示モジュールの表示輝度を調整するためのトリミング回路８が、５本の短冊状配線８１ａ〜８１ｅを櫛歯状に共通接続して形成されており、これら短冊状配線８１ａ〜８１ｅは、夫々、ドライバチップ５の電源端子Ｖssと４個のトリミング信号入力端子Ｔm0、Ｔm1、Ｔm2、Ｔm3に導通接続され、そのうちの４個のトリミング信号入力端子Ｔm0、Ｔm1、Ｔm2、Ｔm3に導通接続された４本の短冊状配線８１ｂ〜８１ｅは、トリミング用配線グループを構成し、所期の表示輝度が得られるようにレーザ照射により一点鎖線で示される照射エリアＡに位置する部分が選択的に切断される。【選択図】図２
2007171409.tif 000002
【特許請求の範囲】
【請求項１】
基板上に区画設定された複数の画素に駆動電圧を印加して表示を行うディスプレイモジュールであって、
前記複数の画素にそれぞれ対応させて前記基板上に形成された複数の透明電極と、
前記透明電極にそれぞれに対応させて前記基板上に形成され、前記駆動電圧を前記透明電極に供給するための複数のリード配線と、
前記基板上に前記複数のリード配線とそれぞれ接続して設けられ、前記リード配線を介して前記透明電極に供給される前記駆動電圧を発生する駆動電圧発生回路と、
前記駆動電圧発生回路を制御して前記ディスプレイモジュールの表示特性を調整する表示特性調整回路とを有し、
前記表示特性調整回路は、前記リード配線と同一材料で前記基板上に形成され、前記表示特性に応じて選択的に切断される複数のトリミング用配線からなるトリミング回路を備えていることを特徴とするディスプレイモジュール。
【請求項２】
前記リード配線と前記トリミング用配線とは、前記透明電極と同じ透明導電膜で形成されていることを特徴とする請求項１に記載のディスプレイモジュール。
【請求項３】
前記トリミング回路は、複数のトリミング用配線で構成される１回の調整作業に対応した配線グループを複数組有していることを特徴とする請求項１又は請求項２に記載のディスプレイモジュール。
【請求項４】
前記ディスプレイモジュールは、液晶表示モジュールであることを特徴とする請求項１乃至請求項３のうちの何れかの請求項に記載のディスプレイモジュール。
【発明の詳細な説明】
【技術分野】
【０００１】
本発明は、液晶表示モジュールや有機エレクトロルミネッセンスディスプレイモジュール等のディスプレイモジュールに関する。
【背景技術】
【０００２】
従来、ディスプレイモジュールには、表示特性を所望のレベルに調整するために、トリミング方式の調整回路がよく用いられている。トリミング方式の調整回路としては、特許文献１に示されるようなトリミング抵抗構造の調整回路が知られている。
【０００３】
【特許文献１】特開平５−１８２８０９号公報
【発明の開示】
【発明が解決しようとする課題】
【０００４】
上述したトリミング抵抗構造の調整回路は、所期の抵抗値を得るために高い精度でトリミングできる材料を用い、専用の工程で正確にトリマブル抵抗体を形成することが要求され、そのために材料費や製造工数がアップしディスプレイモジュールのコストが割高となる。
【０００５】
本発明の目的は、トリミング作業を容易且つ確実に実施でき且つ材料費や製造工数を低く抑えることができるトリミング回路を備えたディスプレイモジュールを提供することである。
【課題を解決するための手段】
【０００６】
本発明のディスプレイモジュールは、基板上に区画設定された複数の画素に駆動電圧を印加して表示を行うディスプレイモジュールであって、前記複数の画素にそれぞれ対応させて前記基板上に形成された複数の透明電極と、前記透明電極にそれぞれに対応させて前記基板上に形成され、前記駆動電圧を前記透明電極に供給するための複数のリード配線と、前記基板上に前記複数のリード配線とそれぞれ接続して設けられ、前記リード配線を介して前記透明電極に供給される前記駆動電圧を発生する駆動電圧発生回路と、前記駆動電圧発生回路を制御して前記ディスプレイモジュールの表示特性を調整する表示特性調整回路とを有し、前記表示特性調整回路は、前記リード配線と同一材料で前記基板上に形成され、前記表示特性に応じて選択的に切断される複数のトリミング用配線からなるトリミング回路を備えていることを特徴とするディスプレイモジュール。
【発明の効果】
【０００７】
本発明のディスプレイモジュールによれば、表示特性調整回路が表示特性に応じて選択的に切断される複数のトリミング用配線からなるトリミング回路を備えているから調整作業がデジタル的に簡潔化され、且つ、そのトリミング回路が表示駆動電圧を供給するリード配線と同一基板上に同じ材料で一括形成されているから表示特性調整回路を形成するための材料費や製造工数を低く抑えることができ、その結果、表示特性を容易且つ確実に調整できるディスプレイモジュールを低コストで製造することができる。
【０００８】
本発明のディスプレイモジュールにおいては、前記リード配線と前記トリミング用配線とが、前記透明電極と同じ透明導電膜で形成されていることが好ましく、これにより、ディスプレイモジュールの製造工数がさらに低減される。
【０００９】
また、本発明のディスプレイモジュールにおいては、トリミング回路が複数のトリミング用配線で構成される１回の調整作業に対応した配線グループを複数組有した構成とすることが好ましく、これにより、１個の液晶表示モジュールに対し複数回の調整作業を実施することができる。
【００１０】
加えて、本発明は、液晶表示モジュールに適用されることが好ましく、その場合、調整作業がデジタル的に簡潔化され表示特性を容易且つ確実に調整できる表示特性調整回路を備えた液晶表示モジュールがその調整回路の材料費及び製造工数を低く抑えて低コストで得られる。
【発明を実施するための最良の形態】
【００１１】
図１は本発明の第１実施形態としての液晶表示モジュールを示す平面図、図２はそのうちのＱ部つまりトリミング回路部を拡大して示した構成説明図である。
【００１２】
図１に示されるように、本実施形態の液晶表示モジュールは、電極（不図示）が形成された一対の矩形をなすガラス基板１、２を、それぞれの電極形成面を対向させて枠状シール材(不図示)により所定の間隙を保って接合し、枠状シール材で囲まれたガラス基板１、２の各対向面（以下、内面という）間に液晶(不図示)を封入して、構成されている。そして、ガラス基板１、２の各外面には、前偏光板(表示の観察側を前側とした場合の)３と後偏光板(不図示)がそれぞれ貼着されている。なお、本実施形態の液晶表示モジュールは単純マトリクス型液晶表示モジュールであり、ガラス基板１、２の対向させた各内面にはそれぞれ、互いに平行な複数の走査電極(不図示)と、これらに直交する互いに平行な複数の表示電極(不図示)とが配設されている。
【００１３】
一対のガラス基板１、２のうちの片側のガラス基板２には、一縁辺をガラス基板１の対応する縁端面よりも外側へ突出させて、突出縁部２１が形成されている。この突出縁部２１の表面（内面）には、各電極に信号電圧を供給するリード配線４ａ、４ｂが配設されており、それらのうちの中央部に配設されているリード配線４ａは各表示電極を延出させた表示リード配線である。また、両サイドに分割配設されているリード配線４ｂは走査リード配線であり、対向側基板１に配設されている走査電極の各端子電極(不図示)とこれらに対応する走査リード配線４ｂとは、図示されていない基板間導通部材により導通接続されている。
【００１４】
突出縁部２１の略中央部には、液晶駆動回路素子としてのドライバチップ５がＣＯＧ(Chip On Glass)方式により搭載されている。すなわち、ドライバチップ５の搭載エリア周縁にリード配線４ａ、４ｂの各接続端子(不図示)及びドライバチップ５に各種駆動制御信号を入力する入力配線６の一方の各接続端子(不図示)が並設され、これら接続端子と対応するドライバチップの突起電極端子(不図示)とが、異方性導電接着材(不図示)により導通接続されている。
【００１５】
なお、上述した突出縁部２１に配設されている表示リード配線４ａ、走査リード配線４ｂ、及び入力配線６は、共に、表示電極や走査電極と同じＩＴＯ(Indium Tin Oxide)からなる透明導電膜で形成されている。
【００１６】
突出縁部２１の先端中央部には、外部駆動制御回路基板(不図示)と本実施形態の液晶表示パネルを配線接続するフレキシブル配線基板７が導通接合されている。この場合、フレキシブル配線基板７の配設されている各配線の接続端子(不図示)と、突出縁部２１の先端縁辺に並設された液晶表示パネル側入力配線６の対応する接続端子(不図示)とが、異方性導電接着材(不図示)を介して導通接続されている。
【００１７】
そして、ドライバチップ５の設置エリア周辺で、入力配線６の並設エリアに隣接するエリアには、所期の表示特性を得るための調整回路を構成するトリミング回路８が配設されている。なお、本実施形態では、トリミング回路８により表示特性のうちの輝度を調整する。
【００１８】
本実施形態のトリミング回路８は、図２に示されるように、５本の短冊状配線８１ａ〜８１ｅが突出縁部２１先端面側の各端部を共通接続されて櫛歯状に形成されている。これら短冊状配線８１ａ〜８１ｅは、上述した表示リード配線４ａ、走査リード配線４ｂ、入力配線６と同じ材料のＩＴＯからなり、それらと同時に一括形成されている。すなわち、ガラス基板２の一方の表面にＩＴＯからなる透明導電膜を一様に被着し、この透明導電膜をフォトリソグラフィー法によりパターニングすることにより、表示電極(不図示)と表示リード配線４ａ、走査リード配線４ｂ、入力配線６及び短冊状配線８１ａ〜８１ｅが、同時に一括形成されている。
【００１９】
５本の短冊状配線８１ａ〜８１ｅの各分離側(反共通接続側)端部は、夫々、ドライバチップ５の電源端子Ｖssとトリミング端子グループＧtを構成する４個のトリミング用入力端子Ｔm0、Ｔm1、Ｔm2、Ｔm3に、異方性導電接着材(不図示)を介して導通接続されている。これらのうちの４個のトリミング用入力端子Ｔm0、Ｔm1、Ｔm2、Ｔm3にそれぞれ導通接続されている４本の短冊状配線８１ｂ〜８１ｅは、トリミング用配線グループＧwを構成し、液晶表示モジュールの表示特性を調整する工程において、所期の表示特性が得られるようにレーザ照射により一点鎖線で示される照射エリアＡに位置する部分が選択的に切断される。
【００２０】
次に、ドライバチップ５内の表示特性の調整を実行する回路(以下、調整実行回路という)の構成について、図３のブロック図に基づき説明する。
【００２１】
本実施形態の調整実行回路は、大略、命令デコータ５１、レジスタ５２、選択回路５３、及び電子ボリウム５４とからなる。
【００２２】
命令デコーダ５１は、専用の調整試験機(不図示)のインターフェイス(以下、外部インターフェイスという)にフレキシブル配線基板７を介して接続され、調整試験機から発信されるコード信号を受け取り、本実施形態では４ビット信号にデコードして出力する。この命令デコーダ５１は、レジスタ５２と選択回路５３に接続されており、デコードした４ビット信号をレジスタ５２に出力するとともに、選択回路５３に選択信号を出力する。レジスタ５２は、命令デコーダ５１から送られてくる４ビットデジタル信号を格納する。
【００２３】
選択回路５３は、前記レジスタと４本の信号線で接続されていると共に、４個の前記トリミング用入力端子Ｔm0、Ｔm1、Ｔm2、Ｔm3ともそれぞれ１本づつ合計４本の信号線で接続されている。また、この選択回路５３の出力側はＤ／Ａコンバータ(不図示)を介して電子ボリウム５４に接続されている。
【００２４】
電子ボリウム５４は、選択回路５３から出力されるアナログ制御電圧を受け、これに基づき入力される例えば本実施形態では表示の輝度を制御する信号電圧のレベルを調整して出力する。本実施形態の電子ボリウム５４は、表１のコードテーブルに示される７段階の輝度レベルに対応した７段階の調整選択機能を備えている。
【００２５】
【表１】
2007171409.tif 000003
【００２６】
次に、上述したトリミング回路８とその調整実行回路により実施される表示輝度の調整手順とその動作について説明する。
【００２７】
まず、製造された液晶表示モジュールを表示特性調整工程の輝度調整試験機にセットする。この調整試験機からは、表１に示されるコードテーブルに基づき、レベル−３〜レベル＋３の７段階の輝度レベル値に応じたコード信号が、外部インターフェイスを介して命令デコーダ５１に出力される。
【００２８】
最初は、輝度レベル「０」に対応するコード信号を命令デコーダ５１に出力し、これを受けた命令デコーダ５１がそのコード信号をデコードして「００００」の４ビットデジタル信号とし、これをレジスタ５２に送って格納させる。
【００２９】
また、これと同時に選択回路５３にも選択信号を出力させる。選択信号を受けた選択回路５３は、４個のトリミング用入力端子Ｔm0、Ｔm1、Ｔm2、Ｔm3から得られる４ビットデジタル信号が、全ての対応するトリミング用配線８１ｂ〜８１ｅが切断処理されていない状態で得られる信号の例えば「００００」(全てがＬｏｗ)である場合は、選択スイッチをレジスタ２側に切り換え、レジスタ２に格納されている４ビットデジタル信号つまり「００００」を取り込んでアナログ変換し、このアナログ制御電圧を電子ボリウム５４に出力する。
【００３０】
電子ボリウム５４は、選択回路５３から出力されるアナログ制御電圧を受け、入力される表示の輝度を制御する信号のレベルを前記アナログ制御電圧に基づき調整して出力する。これにより、液晶表示モジュールの表示輝度は、外部インターフェイスから入力される表示輝度のレベル値が「０」段階のコード信号に基づいた輝度となる。
【００３１】
調整作業者は、その表示を観察し、その輝度を基準となる所期の輝度と比較し、表１のコードテーブルに基づき調整量を決定する。今、観察した表示の輝度が所期の輝度よりも例えば２段階程度暗いと判断した場合、表１のコードテーブルに基づき、２段階明るくするために今度は「＋２」段階に対応するコード信号を調整試験機から命令デコーダ５１に出力させる。命令デコーダ５１はそれをデコードした４ビット信号「１１００」をレジスタ５２に格納させる。このとき、４本のトリミング用配線８１ｂ〜８１ｅは何れも未だ切断されていないから、これらから選択回路５２に出力される信号は「００００」のままであり、従って、選択回路５２はレジスタ５２に格納されている信号「１１００」を取り込み、これに対応する輝度レベルが「＋２」のアナログ制御電圧を電子ボリウム５４に出力する。電子ボリウム５４は、そのアナログ制御電圧に基づき、入力される表示の輝度を制御する信号電圧のレベルを調整して出力する。これにより、調整された液晶表示モジュールの表示輝度は、外部インターフェイスから入力されたコード信号つまり表示輝度のレベル値が「＋２」段階のコード信号に基づいた輝度となる。
【００３２】
調整作業者は、上記の調整された表示輝度を基準となる所期の輝度と比較し、略等しいと判断したら、「＋２」の輝度レベルに対応する４ビット信号「１１００」を出力できるパターンに４本のトリミング用配線８１ｂ〜８１ｅをレーザで選択切断する。すなわち、トリミング端子Ｔm0、Ｔm1に導通接続されているトリミング用配線８１ｂ、８１ｃをそれぞれ切断し、残りのトリミング端子Ｔm2、Ｔm3に導通接続されたトリミング用配線８１ｄ、８１は切断せずにそのままとする。これにより表示輝度の調整作業が完了する。
【００３３】
なお、上述した輝度レベル「＋２」分の電子ボリウム調整によっても所期の輝度が得られない場合は、４本のトリミング用配線８１ｂ〜８１ｅの選択切断を行わずに、さらに同様のレジスタ５２を介した調整量特定操作を繰り返し、基準となる所期の輝度が得られた時点でトリミング用配線８１ｂ〜８１ｅの選択切断を実施する。
【００３４】
以上のように、本実施形態の液晶表示モジュールでは、表示特性のトリミング回路を表示電極と各電極のリード配線４ａ、４ｂが形成されたガラス基板２の表面にそれらと同じＩＴＯを材料としてフォトリソグラフィーにより一括して同時にパターニング形成する構成としたから、トリミング回路を少ない工数で容易に形成でき、その結果、表示特性調整回路を備えた液晶表示モジュールのコストダウンが促進される。
【００３５】
また、所期の表示輝度を得るための最適なトリミング状態をトリミングする前に個々の液晶表示モジュール毎に確認できる回路を、命令デコータ５１、レジスタ５２及び選択回路５３で構成して駆動回路素子５内に付設したから、トリミング作業をより正確に効率良く実施でき、その結果、液晶表示モジュールの製造工数が更に低減されるとともに歩留りが向上する。
【００３６】
次に、本発明の第２、第３実施形態について、図４(ａ)、(ｂ)に基づき説明する。なお、上記第１実施形態と同一の構成要素については同一の符号を付して、その説明を省略する。
【００３７】
図４(ａ)に示した第２実施形態の表示輝度調整回路におけるトリミング回路は、上記第１実施形態のトリミング回路に、もう一つのトリミング用配線グループと、２組のトリミング用配線グループを切り替えるための切替え配線とを、付加したものである。
【００３８】
すなわち、本実施形態のトリミング回路９は、１０本の平行に延在する短冊状配線９１ａ〜９１ｊからなり、これら短冊状配線９１ａ〜９１ｊの基板突出縁部２１の先端面側に位置させる各端部が共通接続されて櫛歯状に形成されている。これら短冊状配線９１ａ〜９１jは、図１に示される表示リード配線４ａ、走査リード配線４ｂ、入力配線６と同じ材料のＩＴＯからなり、それらと同時に一括形成されている。
【００３９】
１０本の短冊状配線９１ａ〜９１jの各分離側(反共通接続側)端部は、夫々、ドライバチップ５における、電源端子Ｖss、第１のトリミング端子グループＧt1を構成する４個のトリミング信号入力端子Ｔm0、Ｔm1、Ｔm2、Ｔm3、切替え信号入力端子Ｅb1及び、第２のトリミング端子グループＧt2を構成する４個のトリミング信号入力端子Ｔm4、Ｔm5、Ｔm6、Ｔm7に、異方性導電接着材(不図示)を介して導通接続されている。
【００４０】
従って、第１のトリミング端子グループＧt1の各トリミング信号入力端子Ｔm0、Ｔm1、Ｔm2、Ｔm3に夫々導通接続された４本の短冊状配線９１ｂ〜９１ｅが１回目の表示輝度調整作業に対応する第１のトリミング用配線グループＧw1を構成し、第２のトリミング端子グループＧt1の各トリミング信号入力端子Ｔm0、Ｔm1、Ｔm2、Ｔm3に夫々導通接続された４本の短冊状配線９１ｇ〜９１ｊが２回目の表示輝度調整作業に対応する第２のトリミング用配線グループＧw2を構成している。
【００４１】
これら１０本の配線９１ａ〜９１jのうちの電源供給用配線９１ａを除いた残り９本の配線９１b〜９１jは、液晶表示モジュールの表示特性を調整する工程において、所期の表示特性が得られるように一点鎖線で示されるレーザ照射エリアＡに位置する部分が選択的に切断される。
【００４２】
上述のように構成された本実施形態のトリミング回路を備えた表示輝度調整回路によれば、表示輝度の調整をやり直すことができる。すなわち、第１のトリミング端子グループＧt1に導通接続された第１のトリミング用配線グループＧｗ1を用いて上記実施形態と同様に表示輝度の調整が実施された液晶表示モジュールに対し、用途の変更等により要求される表示輝度が変更された場合、第２のトリミング端子グループＧt2に導通接続された第２のトリミング用配線グループＧｗ2を用いて、再度、表示輝度の調整を実施することができる。
【００４３】
その場合は、先ず、切替え信号入力端子Ｅb1に導通接続された配線９１ｆをレーザで切断する。これにより、第１のトリミング端子グループＧt1の４個のトリミング信号入力端子Ｔm0〜Ｔm3が無効となり、第２のトリミング端子グループＧt2の４個のトリミング信号入力端子Ｔm4〜Ｔm7が有効となる。なお、切替え信号入力端子Ｅb1に導通接続された配線９１ｆが切断されていない状態では、第１のトリミング端子グループＧt1のみが有効となり、第２のトリミング端子グループＧt2は無効となっている。
【００４４】
この後は、第１のトリミング用配線グループＧw1を用いて行った調整作業と同じ手順で、第２のトリミング用配線グループＧw2を用いて表示輝度の調整作業をやり直す。
【００４５】
以上のように、本実施形態の液晶表示モジュールは、第１のトリミング用配線グループＧw1を用いる調整回路と第２のトリミング用配線グループＧw2を用いる調整回路の２系統の調整回路を備えているから、上記実施形態のような１系統の調整回路ではできなかった一度行った表示特性の調整作業のやり直しが可能となる。その結果、液晶表示モジュールの製造歩留りがさらに向上する。
【００４６】
また、本実施形態のトリミング回路は、全ての配線がリード配線や表示電極と同じ材料のＩＴＯを用いて同一ガラス基板上にそれらと同時に一括形成されているから、本実施形態のように２グループの配線が広いエリアにわたり配設されて形成されていても相応の少ない工数で容易に製造され、２系統の調整回路を備えることによるコストアップが抑制される。
【００４７】
次に説明する図４(ｂ)に示した第３実施形態としてのトリミング回路は、上記第２実施形態における切替え信号入力端子Ｅb1とこれに導通接続される配線９１ｆを省略したものである。
【００４８】
すなわち、本実施形態のトリミング回路１０は、９本の平行に延在する短冊状配線１０１ａ〜１０１ｉからなる櫛歯状回路に形成されており、これら短冊状配線１０１ａ〜１０１ｉは、図１に示される表示リード配線４ａ、走査リード配線４ｂ、入力配線６等と同じ材料のＩＴＯからなり、それらと同時に一括形成されている。
【００４９】
９本の短冊状配線１０１ａ〜１０１ｉの各分離側(反共通接続側)端部は、夫々、ドライバチップ５における、電源端子Ｖss、第１のトリミング端子グループＧt1を構成する４個のトリミング信号入力端子Ｔm0、Ｔm1、Ｔm2、Ｔm3、及び、第２のトリミング端子グループＧt2を構成する４個のトリミング信号入力端子Ｔm4、Ｔm5、Ｔm6、Ｔm7に、異方性導電接着材(不図示)を介して導通接続されている。これら９本の配線１０１ａ〜１０１ｉのうちの、電源供給用配線１０１ａを除いた第１のトリミング用配線グループＧｗ1を構成する４本の短冊状配線１０１ｂ〜１０１ｅと、第２のトリミング用配線グループＧw2を構成する４本の短冊状配線１０１ｇ〜１０１ｊが、液晶表示モジュールの表示輝度を調整する工程において、所期の表示輝度が得られるように一点鎖線で示されるレーザ照射エリアＡに位置する部分が選択的に切断される。
【００５０】
上述のように構成された第３実施形態の調整回路によれば、第２実施形態に比べて切替え信号入力端子とこれに導通接続される配線を省略した分だけ構成が簡素化されていても、第２実施形態と同様に表示特性の調整をやり直すことができる。
【００５１】
この場合、第１のトリミング用配線グループＧw1を用いて輝度調整が実施された液晶表示モジュールに対し輝度調整をやり直すには、第１のトリミング用配線グループＧw1の４本のトリミング用配線１０１ｂ〜１０１ｅを全て切断する。これにより、対応するトリミング端子Tm0〜Ｔm3の電位が全てハイレベルとなり、「１１１１」の４ビット信号が取り出される。この信号に基づき、第１のトリミング端子グループＧt1が無効にされ、第２のトリミング端子グループＧt2が有効となる。この後、第２のトリミング用配線グループＧw2を用いて輝度調整をやり直す。なお、第１のトリミング用配線グループＧw１の４本のトリミング用配線１０１ｂ〜１０１ｅを全て切断して得られる「１１１１」の４ビット信号は、表１のコードテーブルには無い信号であるから、輝度の再調整に支障を及ぼすことはない。
【００５２】
以上のように、本実施形態の液晶表示モジュールは、トリミング用配線グループとトリミング端子グループを２組づつ備えた輝度調整回路を第２実施形態のものよりも切替え信号入力端子とこれに導通接続される配線を省略してより簡素化して設けたから、第２実施形態と同様の有用な効果が奏される液晶表示モジュール、すなわち、輝度調整のやり直しができると共にそのトリミング回路を電極やリード配線と同じＩＴＯを材料として同時に一括形成することにより製造工数が低減された液晶表示モジュールを、より低コストで製造することが可能となる。
【００５３】
なお、本発明は、上記の実施形態に限定されるものではない。
例えば、上記第１乃至第３実施形態においては、リード配線が電極と同じＩＴＯからなる透明導電膜で形成されているからトリミング回路の配線も同じＩＴＯで形成したが、これに限らず、リード配線がアルミニウム等の金属膜で形成されている場合は、トリミング回路の配線がそれと同じ金属膜で形成される。
【００５４】
また、トリミング回路は櫛歯状にかぎらず、種々のパターンに形成可能であり、且つ、各トリミング用配線グループを構成する配線の数やトリミング用配線グループの組数は、表示モジュールの用途や要求される表示特性に応じて種々に最適設定される。
【００５５】
加えて、本発明は、単純マトリクス型液晶モジュールに限らず、単純マトリクス型以外の他の液晶表示モジュールや液晶表示モジュール以外の有機エレクトロルミネッセンスディスプレイモジュール等の種々のディスプレイモジュールに広く適用できることは、勿論である。
【図面の簡単な説明】
【００５６】
【図１】本発明の第１実施形態としての液晶表示モジュールを示す平面図である。
【図２】上記液晶表示モジュールにおける要部Ｑを拡大して示す構成説明図である。
【図３】上記液晶表示モジュールのおける表示輝度調整プロセスの実行回路を示したブロック図である。
【図４】(ａ)、(ｂ)は、夫々、本発明の第２実施形態と第３実施形態を示した構成説明図である。
【符号の説明】
【００５７】
１、２                    ガラス基板
２１                      突出縁部
３                        前偏光板
４ａ、４ｂ                リード配線
５                        ドライバチップ
５１                      命令デコータ
５２                      レジスタ
５３                      選択回路
５４                      電子ボリウム
６                        入力配線
７                        フレキシブル配線基板
８、９、１０              トリミング回路
８１ａ、９１ａ、１０１ａ  電源配線
８１ｂ〜８１ｅ
９１ｂ〜９１ｅ
９１ｇ〜９１ｊ
１０１ｂ〜１０１ｅ
１０１ｆ〜１０１ｉ    トリミング用配線
９１ｆ                     切替え用配線
Vss                        電源端子
Ｔm0〜Ｔm7               トリミング用端子
Eb1                       切替え信号入力端子
Ｇw1                      第１のトリミング用配線グループ
Ｇw2                      第２のトリミング用配線グループ、
Ｇt1                      第１のトリミング端子グループ
Ｇt2                      第２のトリミング端子グループ
【図１】
2007171409.tif 000004
【図２】
2007171409.tif 000005
【図３】
2007171409.tif 000006
【図４】
2007171409.tif 000007